(57)【要約】【課題】既設のビニールハウスに低コストで適用することができるビニールハウスの換気機構を提供する。【解決手段】換気部材によって換気を行うビニールハウスの換気機構であって、ビニールハウスは、複数の帯状合成樹脂フィルム１０を互いに略平行に並べて展張して形成されており、隣り合う前記帯状合成樹脂フィルムは、隣接部分において重なりあう重なり部分１２を形成しており、換気部材は、前記重なり部分において隣り合う前記帯状合成樹脂フィルム同士を離間させるものである。【選択図】図５
2015070805.tif 000002
【特許請求の範囲】
【請求項１】
換気部材によって換気を行うビニールハウスの換気機構であって、
ビニールハウスは、複数の帯状合成樹脂フィルムを互いに略平行に並べて展張して形成されており、
隣り合う前記帯状合成樹脂フィルムは、隣接部分において重なりあう重なり部分を形成しており、
換気部材は、前記重なり部分において隣り合う前記帯状合成樹脂フィルム同士を離間させる、ビニールハウスの換気機構。
【請求項２】
前記換気部材は、ビニールハウスの屋根における前記重なり部分の隣り合う前記帯状合成樹脂フィルム同士を離間させる、請求項１に記載されているビニールハウスの換気機構。
【請求項３】
ビニールハウスの屋根部分は、前記帯状合成樹脂フィルムが載せられる長尺の棟部材と前記帯状合成樹脂フィルムの上に載せられる長尺の押さえ部材とを備えており、
前記棟部材と前記押さえ部材とは互いに略平行に設置されており、
前記帯状合成樹脂フィルムの長手方向と前記棟部材の長手方向とは略直交している、請求項１又は２に記載されているビニールハウスの換気機構。
【請求項４】
前記換気部材は、前記帯状合成樹脂フィルムがなす面に対して略垂直に当該帯状合成樹脂フィルムを移動させる、請求項１から３のいずれか一つに記載されているビニールハウスの換気機構。
【請求項５】
前記換気部材は、前記帯状合成樹脂フィルムがなす面に対して略水平に当該帯状合成樹脂フィルムを移動させる、請求項１から３のいずれか一つに記載されているビニールハウスの換気機構。
【請求項６】
前記換気部材は、前記重なり部分において一方の前記帯状合成樹脂フィルムに連結された第１連結部材と、前記重なり部分において他方の前記帯状合成樹脂フィルムに連結された第２連結部材と、前記第１連結部材及び前記第２連結部材に結合され前記帯状合成樹脂フィルムの長手方向に略直交する方向に延びる長尺の第３連結部材とを備え、
前記第３連結部材は、前記第１連結部材及び前記第２連結部材を、前記帯状合成樹脂フィルムの長手方向に略直交する方向かつそれぞれ相反する向きに移動させる、請求項５に記載されているビニールハウスの換気機構。
【発明の詳細な説明】
【技術分野】
【０００１】
本発明は、ビニールハウスの換気機構に関し、特に換気部材によって換気を行うビニールハウスの換気機構に関するものである。
【背景技術】
【０００２】
植物の栽培に用いられる保温のためのハウス設備には、ビニールハウスと呼ばれる、パイプ等を設備の骨格に用いて、その骨格に合成樹脂製フィルムを被せたものが多く使用されている。ビニールハウスにおいては、内部の温度が上がりすぎた場合に換気を行う必要があり、その換気のやり方について様々な方法が検討されている（例えば、特許文献１−４）。
【０００３】
特許文献１には、ビニールハウスの天井を開閉自在に覆って屋根を構成するシートの外側にシートを押さえるバンドを屋根に渡って所定間隔に複数設け、バンドの一端を屋根の長手一端側に固着し他端を屋根の長手他端側に配設されたバンド巻き取りパイプに巻き取り自在に固着し、バンド巻き取りパイプを回転させてバンドの締め及び緩めを行うバンド緊緩装置を設け、バンドの横方向へのずれを抑制する拘束部材を屋根の最上部に取り付け、バンドがバンド巻き取りパイプに横方向にずれながら巻き取られるのを防止できるようにしたビニールハウスの開閉装置が開示されている。
【０００４】
特許文献２には、 ハウスの棟に沿って垂直に換気口を設け、この換気口の上端縁に片方の上側半屋根部の上端縁を連設するとともに同下端縁に他方の下側半屋根部の上端縁を連設したハウス用換気装置が開示されている。
【０００５】
特許文献３には、パイプ部材が適宜の間隔をおいて連設された蒲鉾形態のビニールハウス構造体の側壁部に、ビニールシートを巻き取るロールまたはビニールシート引き出し用紐部材を巻き取るリールを設置したシャフトを水平に維持する支承部材が、シャフトの中央領域において前記パイプ状構造体に取り付けられているビニールハウスのシート開閉装置が開示されている。
【０００６】
特許文献４には、横断方向に並列した複数の固定梁上に屋根が設けられ、屋根が固定梁間に固定部用被覆資材を張設した固定屋根部と、張設していない開口部と、に分かれており、開口部の下側に該開口部を開閉する可動屋根部を設けた栽培用ハウス設備の換気装置であって、固定梁の下側にハウス軸方向に架設され、かつ、軸方向にスリットを有する複数の丸パイプと、横断方向に並列しており、かつ、前記丸パイプの該スリットに対応させた複数の球状体を有するとともに該球状体を丸パイプ内に遊嵌させて移動可能に吊設された複数の可動梁と、該可動梁同士を繋ぐ連結梁と、可動梁間に張設された可動部用被覆資材と、からなる可動屋根部を備えており、可動屋根部を一体として移動することにより屋根の開口部を開閉可能な構成にした栽培用ハウス設備の換気装置が開示されている。
【先行技術文献】
【特許文献】
【０００７】
【特許文献１】特開２００２−１７１８４３号公報
【特許文献２】特開２００３−３２２３７２号公報
【特許文献３】特開２００８−３０６９９３号公報
【特許文献４】特開２０１３−６３０６１号公報
【発明の概要】
【発明が解決しようとする課題】
【０００８】
高温の空気は天井部分に滞留するので、天井部分（屋根部分）を開閉させて換気する必要があるが、特許文献３に開示された技術ではこの要請に応えることができない。
【０００９】
また特許文献１，２，４のいずれも専用の換気機構をビニールハウスの設備としてビニールハウスの建設時に設置する必要があり、コストが大きくなってしまうとともに、既存のビニールハウスに後から設置することが非常に困難である。
【００１０】
本発明は、かかる点に鑑みてなされたものであり、その目的とするところは、既設のビニールハウスに低コストで適用することができるビニールハウスの換気機構を提供することにある。
【課題を解決するための手段】
【００１１】
上述の課題を解決するため、本発明のビニールハウスの換気機構は、換気部材によって換気を行うビニールハウスの換気機構であって、ビニールハウスは、複数の帯状合成樹脂フィルムを互いに略平行に並べて展張して形成されており、隣り合う前記帯状合成樹脂フィルムは、隣接部分において重なりあう重なり部分を形成しており、換気部材は、前記重なり部分において隣り合う前記帯状合成樹脂フィルム同士を離間させる構成を備えている。ここで略平行というのは、ビニールハウスの作成時のずれやハウスのゆがみ等によって帯状合成樹脂フィルム同士が数学的に厳密な意味での平行な状態から多少ずれている状態も含むことを意味しており、厳密な平行から１５度以内のずれであれば略平行ということができる。
【００１２】
前記換気部材は、ビニールハウスの屋根における前記重なり部分の隣り合う前記帯状合成樹脂フィルム同士を離間させることが好ましい。
【００１３】
ビニールハウスの屋根部分は、前記帯状合成樹脂フィルムが載せられる長尺の棟部材と前記帯状合成樹脂フィルムの上に載せられる長尺の押さえ部材とを備えており、前記棟部材と前記押さえ部材とは互いに略平行に設置されており、前記帯状合成樹脂フィルムの長手方向と前記棟部材の長手方向とは略直交していることが好ましい。ここで略平行というのは、ビニールハウスの作成時のずれやハウスのゆがみ等によって棟部材と押さえ部材とが数学的に厳密な意味での平行な状態から多少ずれている状態も含むことを意味しており、厳密な平行から１５度以内のずれであれば略平行ということができる。略直交に関しても同様であって、厳密な直交から１５度以内のずれであれば略直交ということができる。
【００１４】
前記換気部材は、前記帯状合成樹脂フィルムがなす面に対して略垂直に当該帯状合成樹脂フィルムを移動させるものであってもよい。略垂直に関しても前述と同様に厳密な意味での垂直ではなく、数学的な意味での垂直から１５度以内のずれであれば略垂直ということができる。
【００１５】
前記換気部材は、前記帯状合成樹脂フィルムがなす面に対して略水平に当該帯状合成樹脂フィルムを移動させるものであってもよい。略水平に関しても前述と同様に厳密な意味での水平ではなく、数学的な意味での水平から１５度以内のずれであれば略水平ということができる。さらに、前記換気部材は、前記重なり部分において一方の前記帯状合成樹脂フィルムに連結された第１連結部材と、前記重なり部分において他方の前記帯状合成樹脂フィルムに連結された第２連結部材と、前記第１連結部材及び前記第２連結部材に結合され前記帯状合成樹脂フィルムの長手方向に略直交する方向に延びる長尺の第３連結部材とを備え、前記第３連結部材は、前記第１連結部材及び前記第２連結部材を、前記帯状合成樹脂フィルムの長手方向に略直交する方向かつそれぞれ相反する向きに移動させる構成であることが好ましい。
【発明の効果】
【００１６】
本発明のビニールハウスの換気機構では、換気部材によって重なり部分における帯状合成樹脂フィルム同士を離間させるので、既設のビニールハウスにおいて簡単な構成で換気を行うことができる。
【図面の簡単な説明】
【００１７】
【図１】波状型ハウスの屋根部分を横から見た模式的な図である。
【図２】波状型ハウスの屋根部分を上から見た模式的な図である。
【図３】実施形態１の換気部材を示す図である。
【図４】実施形態１の換気部材を重なり部分に差し込んだ上面模式図である。
【図５】図４のＡ−Ａ線断面図である。
【図６】実施形態２の換気部材の主要部を示す図である。
【図７】図６のＢ−Ｂ線断面図である。
【図８】実施形態２の換気部材の作動機構を示す模式的な図である。
【発明を実施するための形態】
【００１８】
ビニールハウスには様々な種類があり、例えば特許文献に記載されているビニールハウスは比較的骨格構造がしっかりしていて、換気装置をあらかじめ組み込むことが可能である。けれども、パイプ等の簡易的な骨格に単に合成樹脂フィルムを張っただけのビニールハウスには換気装置をあらかじめ組み込むことが構造上あるいは強度上困難であるとともに、ビニールハウスの製造コストに比べて換気装置のコストが大きくなってしまう。
【００１９】
さらには、特許文献に記載されているビニールハウスは、定型であって、平地に設置することを前提にしているが、傾斜地や不整地のように、その土地の形状や高低に合わせて設置される簡易なビニールハウスである波状型ハウスに、低コストかつ後付けで適用できる換気機構はこれまで開示されていない。
【００２０】
以上の点に鑑みて、以下本発明の実施形態を図面に基づいて詳細に説明する。以下の図面においては、説明の簡潔化のため、実質的に同一の機能を有する構成要素を同一の参照符号で示す。
【００２１】
（実施形態１）
図１は簡易なビニールハウスの一種である波状型ハウスの屋根部分を横から見た図であり、図２は上から見た図である。本実施形態の波状型ハウスにおいては、金属パイプからなる複数の柱５０，５０，５０が立てられていて、その上に金属パイプからなる長尺の棟部材４０，４０，４０が載せられている。棟部材４０は図１が描かれている面に対して垂直に延びている。
【００２２】
棟部材４０の上には複数の帯状合成樹脂フィルム１０，１０，・・・が載せられて張られている。それぞれの帯状合成樹脂フィルム１０は棟部材４０の延びる方向に対して略直交する方向に延びており、隣り合う帯状合成樹脂フィルム１０，１０同士は、その隣接する部分において重なりあって重なり部分１２を形成している。重なり部分１２では両方の帯状合成樹脂フィルム１０，１０が、２０から３０ｃｍぐらいの幅で重なっている。
【００２３】
波状型ハウスの側端部を延びる棟部材４０からは、帯状合成樹脂フィルム１０，１０，・・・がハウスの側面に垂らされている。また帯状合成樹脂フィルム１０の上には複数の長尺パイプ状の押さえ部材４５，４５が載せられていて、帯状合成樹脂フィルム１０を上から押さえて展張させている。押さえ部材４５は棟部材４０と略平行に配置されている。
【００２４】
このような波状型ハウスは、広大な傾斜地において栽培される果樹（特にブドウ）に広く適用されている。その理由は、傾斜地でありその傾斜も場所により様々であるため既存のビニール設備では対応が非常に難しいこと、および設置面積が広いために出来るだけ低コストで設置する必要があるが、既存のビニールハウスではそのような低コストに対応することが非常に困難であるためである。ただ、低コストにするために簡易な構造を採用しているため、屋根部分に従来の換気設備を設置することは、コスト的にも構造的（強度の点）にも非常に困難である。そこで、本願発明者らは種々の検討を行った結果、以下に説明する換気部材に想到した。
【００２５】
図３，４，５に示されているように、本実施形態に係る換気部材２０は、板状の上側開閉部材２１と板状の下側開閉部材２２とからなる差し込み部と、上側開閉部材２１の一端に取り付けられた第１支持部材２３と、下側開閉部材２２の一端に取り付けられた第２支持部材２４と、第１支持部材２３及び第２支持部材２４の少なくとも一方を移動させることにより上側開閉部材２１及び下側開閉部材２２を離間させたり近づけたりする移動機構部２５とを備えている。
【００２６】
本実施形態の換気部材２０の具体的な構成は、第１支持部材２３及び第２支持部材２４はパイプであって第２支持部材２４の内側に第１支持部材２３が収納される構成となっている。そして、上側開閉部材２１及び下側開閉部材２２の同じ側の端部に第１支持部材２３及び第２支持部材２４がそれぞれ上側開閉部材２１及び下側開閉部材２２に対して略垂直に取り付けられている。上側開閉部材２１及び下側開閉部材２２の反対側の端部は重なり部分１２に差し込まれるため、厚みが小さくなっている。また、移動機構部２５は、外殻の円筒部分を中心軸周りに回転させることによって第１支持部材２３が上方または下方へ中心軸に沿って移動する構造を有している。
【００２７】
本実施形態では、換気部材２０を人が持って、波状型ハウスの屋根の重なり部分１２の２枚の帯状合成樹脂フィルム１０，１０の間に差し込み部をハウス内部から差し込む。それから移動機構部２５を人が操作して重なり部分１２の２枚の帯状合成樹脂フィルム１０，１０をフィルム面に対して垂直な方向へ離間させる。すなわち、上側の帯状合成樹脂フィルム１０を上側開閉部材２１が押し上げ、下側の帯状合成樹脂フィルム１０を下側開閉部材２２が押し下げて、２０〜３０ｃｍの隙間を形成するのである。
【００２８】
波状型ハウス内の温度の高い空気は温度の低い空気よりも密度が小さいために天井部分に滞留している。そこで屋根の重なり部分１２を離間させて換気口を形成すると、そこから温度の高い空気はハウス外へ出て行く。このとき、ハウスの側面や出入り口を開放したり、網で外部と仕切る状態にすると、そこから外部の空気がハウス内に入って換気が促進される。
【００２９】
十分に換気が行われて天井部分の空気の温度が所定温度以下となったら、再び移動機構部２５を操作して離間状態を解消して、２枚の帯状合成樹脂フィルム１０，１０を重なり合わせる。
【００３０】
ビニールハウスの広さにもよるが、一つのビニールハウスに対して換気部材２０を複数用意して複数箇所の重なり部分１２を開いて換気口を作成するようにしてもよい。この場合、できるだけ高い位置に存する重なり部分１２を選ぶと換気が効率的に行われるので好ましい。
【００３１】
本実施形態の換気部材２０を用いると、既設の波状型ハウスの換気を簡単に且つ短時間で低コストで行うことができる。そして換気部材２０は簡単な構造であり低コストで作成できる。
【００３２】
（実施形態２）
実施形態２におけるビニールハウスは実施形態１と同じ波状型ハウスであるが、換気機構は実施形態１とは異なり、重なり部分１２の帯状合成樹脂フィルム１０，１０を、帯状合成樹脂フィルム１０の面に水平に移動させて換気口を形成するものである。
【００３３】
本実施形態においては、図６，７に示すように、重なり部分１２における２枚の帯状合成樹脂フィルム１０，１０のそれぞれの側辺を第１連結部材３１ａと第２連結部材３１ｂとがそれぞれ把持している。すなわち、第１連結部材３１ａ及び第２連結部材３１ｂはそれぞれ帯状合成樹脂フィルム１０，１０に連結されている。図８に示す換気部材３０において、第１把持部材３１ａは矢印Ｄａ方向に、第２把持部材３１ｂは矢印Ｄｂ方向に移動させられて、重なり部分１２における重なり状態を解消し、さらに２枚の帯状合成樹脂フィルム１０，１０を離間させて換気口を形成する。
【００３４】
図８では、換気機構をわかりやすくするために帯状合成樹脂フィルムを一点鎖線で示している。第１連結部材３１ａ、第２連結部材３１ｂは、ロープからなる第３連結部材３２にそれぞれ連結されている。第３連結部材３２は、帯状合成樹脂フィルムの長手方向に直交する方向に延びているとともに、中央部分が滑車３４に巻き付けられて１８０度方向を変えている。第３連結部材３２の両端部はそれぞれ円柱状の駆動軸部材３３に、互いに逆方向に巻き付けられて第１巻き付け部３６と第２巻き付け部３５を形成している。
【００３５】
駆動軸部材３３を、中心軸の周りにＲａ方向に回転させると、第１巻き付け部３６において第３連結部材３２はさらに巻き取られ、第２巻き付け部３５においては第３連結部材３２は巻きが解される。これにより、第１連結部材３１ａは駆動軸部材３３側に移動し、第２連結部材３１ｂは滑車３４側に移動して、重なり部分１２において換気口を形成する。その後、逆に駆動軸部材３３をＲｂ方向に回転させると、第１連結部材３１ａは滑車３４側に移動し、第２連結部材３１ｂは駆動軸部材３３側に移動して、換気口が閉じられる。
【００３６】
このように本実施形態においては、第３連結部材３３が第１連結部材３１ａ及び第２連結部材３１ｂを帯状合成樹脂フィルムの長手方向に直交する方向であって、互いに相反する方向に移動させて、換気口を形成したり、逆に換気口を閉じたりする。
【００３７】
本実施形態の換気機構も、既設の波状型ハウスの換気を簡単に且つ短時間で低コストで行うことができる。なお、本実施形態に比べて実施形態１の方が換気口を確実に閉じることができる。
【００３８】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００３９】
ビニールハウスは波状型ハウスに限定されず、複数の帯状合成樹脂フィルムが、互いの隣接部分において重ね合わせられているビニールハウスであればどのようなものでも構わない。
【００４０】
換気部材も一例を示したものであり、形状や構造、作動機構なども上記実施形態に限定されない。例えば実施形態１の換気部材は人が手で重なり部分への差し込み及び重なり部分の開閉を行っているが、換気部材を固定装置として設置し、重なり部分の開閉もモーターにより行うようにしてもよい。また、第１支持部材又は第２支持部材が移動することによって重なり部分を開閉するのではなく、上側及び下側開閉部材を差し込み端と反対側の端部を支点としたヒンジ機構によって開閉させてもよいし、それ以外の開閉機構を採用してもよい。実施形態２においても例えば第３連結部材を棒とし、滑車をクランク等のリンク機構としてもよい。
【産業上の利用可能性】
【００４１】
以上説明したように、本発明に係るビニールハウスの換気機構は、簡単な構造で低コストで設置できるので、波状型ハウスの換気機構等として有用である。
【符号の説明】
【００４２】
１０          帯状合成樹脂フィルム
１２          重なり部分
２０          換気部材
３０          換気部材
３１ａ        第１連結部材
３１ｂ        第２連結部材
３２          第３連結部材
４０          棟部材
４５          押さえ部材
【図１】
2015070805.tif 000003
【図２】
2015070805.tif 000004
【図３】
2015070805.tif 000005
【図４】
2015070805.tif 000006
【図５】
2015070805.tif 000007
【図６】
2015070805.tif 000008
【図７】
2015070805.tif 000009
【図８】
2015070805.tif 000010